(57)【要約】【課題】音声通信が開始されるまでの時間を削減すること。【解決手段】マルチ無線端末１００は、ＬＴＥ基地局６Ｂと無線接続を行い、１ｘ／ＥＶＤＯ基地局６Ａとの無線接続を切断している間に、音声の発信または着信を検出した場合には、LTE  RACH送信のタイミングを早める。例えば、マルチ無線端末１００は、ＬＴＥ規格で定められた手順に従って所定の時間間隔で乱数を発生させ、所定値よりも乱数が小さくなるタイミングをLTE  RACH送信のタイミングとする場合に、時間間隔を短くする、または、所定値を大きくする。【選択図】図１
2014146853.tif 000002
【特許請求の範囲】
【請求項１】
音声以外のデータ通信で利用する第１基地局を介して通信を行っている間に、音声発信または音声着信を行う場合に、音声のデータ通信で利用する第２基地局の情報を要求する信号を送信するタイミングを特定するタイミング特定部と、
前記タイミング特定部によって特定されたタイミングによって、前記第２基地局の情報を要求する信号を送信する送信部と、
音声発信または音声着信を行う要求を受け付けた場合に、前記タイミング特定部が特定するタイミングを早める調整部と
を有することを特徴とする無線通信装置。
【請求項２】
前記タイミング特定部は、ＬＴＥ（Long  Term  Evolution）規格で定められた手順に従って所定の時間間隔で乱数を発生させ、所定値よりも前記乱数が小さくなるタイミングを特定し、前記調整部は、前記時間間隔を短くする、または、前記所定値を大きくすることを特徴とする請求項１に記載の無線通信装置。
【請求項３】
前記タイミング特定部は、ＬＴＥ方式で通信を行っている間に、自装置に対する音声着信を通知する信号または音声発信の要求を検出した場合に、音声発信または音声着信のデータ通信で利用する１ｘ基地局の情報を要求する信号を送信するタイミングを特定することを特徴とする請求項１または２に記載の無線通信装置。
【請求項４】
コンピュータに、
音声以外のデータ通信で利用する第１基地局を介して通信を行っている間に、音声発信または音声着信を行う場合に、音声のデータ通信で利用する第２基地局の情報を要求する信号を送信するタイミングを特定し、
特定したタイミングによって、前記第２基地局の情報を要求する信号を送信する処理を実行させ、
音声発信または音声着信を行う要求を受け付けた場合に、音声のデータ通信で利用する第２基地局の情報を要求する信号を送信するタイミングを早める処理を更に前記コンピュータに実行させることを特徴とする制御プログラム。
【請求項５】
コンピュータが実行する制御方法であって、
音声以外のデータ通信で利用する第１基地局を介して通信を行っている間に、音声発信または音声着信を行う場合に、音声のデータ通信で利用する第２基地局の情報を要求する信号を送信するタイミングを特定し、
特定したタイミングによって、前記第２基地局の情報を要求する信号を送信する処理を実行し、
前記コンピュータは、音声発信または音声着信を行う要求を受け付けた場合に、音声のデータ通信で利用する第２基地局の情報を要求する信号を送信するタイミングを早める処理を更に実行することを特徴とする制御方法。
【発明の詳細な説明】
【技術分野】
【０００１】
本発明は、無線通信装置等に関する。
【背景技術】
【０００２】
近年、１ｘ方式、ＥＶＤＯ（Evolution-Data  Only）方式、ＬＴＥ（Long-Term  Evolution）方式等の複数の通信方式を利用して、ネットワークに接続することができるマルチ無線端末が存在する。１ｘは、ＣＤＭＡ（Code  Division  Multiple  Access）２０００規格に含まれる技術仕様の一つである。ＥＶＤＯは、１ｘ方式を改良してパケット通信に特化し、通信速度を高速化した規格である。ＬＴＥは、ＯＦＤＭＡ（Orthogonal  Frequency  Division  Multiplexing  Access）方式の通信を使用した規格である。
【０００３】
マルチ無線端末は、音声通信に１ｘ方式を使用し、パケット通信にＥＶＤＯ方式またはＬＴＥ方式を使用する。ＥＶＤＯ方式の通信速度よりもＬＴＥ方式の通信速度のほうが速いため、マルチ無線端末は、ＬＴＥ方式を優先して使用することが多い。
【０００４】
ところで、マルチ無線端末は、ＬＴＥ方式で無線接続を行っている間に、省電力化を図るべく、ＥＶＤＯ方式の無線通信だけでなく、１ｘ方式の無線通信を切断する場合がある。１ｘ方式の無線通信を切断している間は、音声通信を行うことが出来ない。このため、マルチ無線端末は、1xCSFallbackと呼ばれる機能を利用して、音声着信を検知し、１ｘ方式に切り替える処理を行う。1xCSFallbackでは、マルチ無線端末に対する音声着信があった場合に、マルチ無線端末にLTE  Pagingが送信される。
【０００５】
LTE  Pagingを受信したマルチ無線端末は、１ｘ方式で音声通信を行うための情報を得るために、LTE  RACH送信を行う。例えば、１ｘ方式で音声通信を行うための情報には、接続先の基地局情報や、セキュリティ情報が含まれる。
【０００６】
マルチ無線端末がLTE  RACH送信を行う場合には、予め定められた処理手順に従う。図１０は、従来のLTE  RACH送信の処理手順の一例を示す図である。図１０に示すように、マルチ無線端末は、乱数を発生させ（ステップＳ１０）、乱数がac-Barring  Factorよりも小さいか否かを判定する（ステップＳ１１）。ステップＳ１１において、ac-Barring  Factorは上位装置から通知される数値である。
【０００７】
マルチ無線端末は、乱数がac-Barring  Factorよりも小さい場合には（ステップＳ１１，Ｙｅｓ）、LTE  RACH送信し（ステップＳ１２）、処理を終了する。一方、マルチ無線端末は、乱数がac-Barring  Factorよりも小さくない場合には（ステップＳ１１，Ｎｏ）、ac-Barring  Timeが経過するまで待機し（ステップＳ１３）、ステップＳ１０に移行する。ステップＳ１３において、ac-Barring  Timeは、上位装置から通知される時間である。
【０００８】
従来のマルチ無線端末は、図１０に示した処理を実行して、LTE  RACH送信を行った後に、１ｘ方式で音声通信を行うための情報を取得し、１ｘ方式によって音声通信を行う。なお、マルチ無線端末は、音声発信を行う場合にも同様に、図１０に示した処理を実行して、LTE  RACH送信を行った後に、１ｘ方式で音声通信を行うための情報を取得し、１ｘ方式による音声通信を行う。
【先行技術文献】
【特許文献】
【０００９】
【特許文献１】特開２０１０−１４７５７６号公報
【特許文献２】特開２０１０−６３０１４号公報
【発明の概要】
【発明が解決しようとする課題】
【００１０】
しかしながら、上述した従来技術では、音声通信を開始するまでに時間を要するという問題がある。
【００１１】
例えば、従来のマルチ無線端末は、LTE  Pagingを受信した後に、図１０の処理を実行してLTE  RACH送信を行う。このLTE  RACH送信が送信されるまでに、例えば、４秒〜８秒程度の遅延が生じてしまう。
【００１２】
一つの側面では、上記に鑑みてなされたものであって、音声通信が開始されるまでの時間を削減することができる無線通信装置を提供することを目的とする。
【課題を解決するための手段】
【００１３】
一つの案では、無線通信装置は、タイミング特定部、送信部、調整部を有する。タイミング特定部は、音声以外のデータ通信で利用する第１基地局を介して通信を行っている間に、音声発信または音声着信を行う場合に、音声のデータ通信で利用する第２基地局の情報を要求する信号を送信するタイミングを特定する。送信部は、タイミング特定部によって特定されたタイミングによって、第２基地局の情報を要求する信号を送信する。調整部は、音声発信または音声着信を行う要求を受け付けた場合に、タイミング特定部が特定するタイミングを早める。
【発明の効果】
【００１４】
開示の態様では、音声通信を開始するまでの時間を削減することができるという効果を奏する。
【図面の簡単な説明】
【００１５】
【図１】図１は、本実施例のマルチ無線システムの一例を示す図である。
【図２】図２は、１ｘ／ＥＶＤＯ方式の通信エリアとＬＴＥ方式の通信エリアとを示す図である。
【図３】図３は、本実施例に係るマルチ無線端末の構成を示す機能ブロック図である。
【図４】図４は、制御部の構成を示す機能ブロック図である。
【図５】図５は、ＳＩＭ情報のデータ構造の一例を示す図である。
【図６】図６は、マルチ無線端末のLTE  RACH送信に関わる処理手順の一例を示すフローチャートである。
【図７】図７は、第１LTE  RACH送信処理の処理手順を示すフローチャート（１）である。
【図８】図８は、第１LTE  RACH送信処理の処理手順を示すフローチャート（２）である。
【図９】図９は、制御プログラムを実行する無線端末装置を示す説明図である。
【図１０】図１０は、従来のLTE  RACH送信の処理手順の一例を示す図である。
【発明を実施するための形態】
【００１６】
以下に、本願の開示する無線通信装置、制御プログラムおよび制御方法の実施例を図面に基づいて詳細に説明する。なお、この実施例によりこの発明が限定されるものではない。
【実施例】
【００１７】
図１は、本実施例のマルチ無線システムの一例を示す図である。図１に示すように、このマルチ無線システムは、１ｘネットワーク２と、ＥＶＤＯネットワーク３と、ＬＴＥネットワーク４と、１ｘＣＳＩＷＳ５とを有する。
【００１８】
１ｘネットワーク２は、１ｘ／ＥＶＤＯ基地局６Ａ、１ｘＣＳＩＷＳ５、交換機２５に接続される。ＥＶＤＯネットワーク３は、１ｘ／ＥＶＤＯ基地局６Ａに接続される。ＬＴＥネットワーク４は、ＬＴＥ基地局６Ｂ、１ｘＣＳＩＷＳ５、外部ＩＰ（Internet  Protocol）ネットワーク７に接続される。ここでは図示を省略するが、このシステムには、複数の１ｘ／ＥＶＤＯ基地局、ＬＴＥ基地局が存在するものとする。
【００１９】
１ｘネットワーク２は、ＭＣ（Message  Center）２１と、ＨＬＲ（Home  Location  Register）２２と、ＭＳＣ（Mobile  Switching  Center）２３と、ＧＭＳＣ（Gateway  Mobile  Switching  Center）２４を有する。ＭＣ２１は、例えば、メッセージを配信する。ＨＬＲ２２は、１ｘネットワーク２内のサービス加入者の加入者情報、サービス加入者の位置情報及び認証情報を対応付けて登録管理する。ＭＳＣ２３は、１ｘ／ＥＶＤＯ基地局６Ａとの間で交換接続する。ＧＭＳＣ２４は、例えば、ＰＳＴＮ（Public  Switched  Telephone  Network）／ＩＳＤＮ1（Integrated  Services  Digital  Network）と接続する交換機２５と、ＭＳＣ２３とを接続する。
【００２０】
ＥＶＤＯネットワーク３は、ｅＰＣＦ（evolved  Packet  Control  Function）３１と、ＨＳＧＷ（High  Rate  Packet  Data  Serving  Gateway）３２と、Ｐ−ＡＡＡ（Proxy-Authentication  Authorization  and  Accounting）３３を有する。ｅＰＣＦ３１は、１ｘ／ＥＶＤＯ基地局６Ａと接続してパケットのルーティング機能を司る。ＨＳＧＷ３２は、ＥＶＤＯ方式の高速パケットデータに変換する。Ｐ−ＡＡＡ３３は、ＥＶＤＯネットワーク３内の加入者の認証、承認及び課金を管理する。
【００２１】
ＬＴＥネットワーク４は、ＨＳＳ（Home  Subscriber  Server）４１、ＭＭＥ（Mobility  Management  Entity）４２、Ｓ−ＧＷ（Serving-Gateway）４３、Ｐ−ＧＷ（Packet  Data  Network  Gateway）４４を有する。ＨＳＳ４１は、ＬＴＥネットワーク４内の加入者情報等を管理する。ＭＭＥ４２は、ＬＴＥ基地局６ＢとＳ−ＧＷ４３とを接続し、ＬＴＥネットワーク４内のシーケンス制御、ハンドオーバ機能、サービス加入者の位置管理、ＬＴＥ基地局６Ｂに対する着信時のページング機能等のネットワーク制御を司る。Ｓ−ＧＷ４３は、ＬＴＥ基地局６Ｂと接続してパケットのルーティング機能を司る。Ｐ−ＧＷ４４は、ＥＶＤＯネットワーク３内のＨＳＧＷ３２と、外部ＩＰネットワーク７と、Ｓ−ＧＷ４３とを通信接続するゲートウェイである。Ｐ−ＧＷ４４は、例えば、ＥＶＤＯネットワーク３とＬＴＥネットワーク４との間をシームレスにパケット通信する。また、ＨＳＳ４１及びＰ−ＡＡＡ３３は、ＥＶＤＯネットワーク３及びＬＴＥネットワーク４で共有化して使用されるものである。
【００２２】
１ｘＣＳＩＷＳ５は、ＭＳＣ２３とＭＭＥ４２とを接続する。
【００２３】
日本国内では、１ｘ方式とＥＶＤＯ方式の既存セルが存在し携帯電話の人口カバー率９８％でサービスが行われている。しかし、ＬＴＥ方式は新規の規格であり、携帯電話の人口カバー率が８０％程度であるため、マルチ無線端末は必ずしも、ＬＴＥ方式を利用してパケット通信を行うことが出来ない。図２は、１ｘ／ＥＶＤＯ方式の通信エリアとＬＴＥ方式の通信エリアとを示す図である。図２に示すように、１ｘ／ＥＶＤＯ方式の通信エリア１ａは、大半のエリアをカバー可能である。これに対して、ＬＴＥ方式の通信エリア１ｂは、通信エリア１ａと比較して、通信エリアが狭くなる。
【００２４】
マルチ無線端末１００は、図１のマルチ無線システム内の各無線通信に対応可能なサービス加入者の端末である。マルチ無線端末１００が、ＬＴＥ基地局６ＢおよびＬＴＥネットワーク４と無線接続を行っている場合には、ＥＶＤＯ方式の無線通信だけでなく、１ｘ方式の無線通信を切断し、省電力化を図ることができる。
【００２５】
マルチ無線端末１００が、ＬＴＥ方式の無線通信のみで無線接続している間に、マルチ無線端末１００に対する音声着信が発生した場合には、図１のシステムは、LTE  Pagingによって、マルチ無線端末１００に、音声着信が発生した旨を通知する。その後、マルチ無線端末１００は、１ｘ方式の無線通信を行って、１ｘ／ＥＶＤＯ基地局６Ａに対して無線接続を行うことで、利用者は音声通話を行うことができる。このように、ＬＴＥ方式の無線通信を行っているマルチ無線端末１００に音声着信が発生した旨を通知して、マルチ無線端末１００が１ｘ／ＥＶＤＯ基地局６Ａに接続する機能を、LTE  1xCSFallbackと呼ぶ。
【００２６】
LTE  1xCSFallbackについて説明する。マルチ無線端末１００がＬＴＥ基地局６Ｂと無線接続している間は、マルチ無線端末１００は、１ｘ／ＥＶＤＯ基地局６Ａと無線接続していない。このため、ＭＳＣ２３は、マルチ無線端末１００に対する音声着信を検知した場合には、１ｘＣＳＩＷＳ５を介して、ＭＭＥ４２に音声着信が発生した旨を通知する。通知を受けたＭＭＥ４２は、ＬＴＥ無線基地局６Ｂからマルチ無線端末１００に、Pagingを送信する。
【００２７】
Pagingを受信したマルチ無線端末１００は、１ｘ／ＥＶＤＯ基地局６Ａと無線接続するために、LTE  RACH発信を行って、１ｘ／ＥＶＤＯ基地局の情報と、セキュリティ情報を得る。１ｘ／ＥＶＤＯ基地局の情報には、複数の１ｘ／ＥＶＤＯ基地局のうち、マルチ無線端末１００の接続先となる１ｘ／ＥＶＤＯ基地局６Ａを識別する情報や、セルＩＤ等が含まれる。セキュリティ情報には、マルチ無線端末１００の認証情報等が含まれる。その他のLTE  1xCSFallbackに関する詳しい説明は、３ＧＰＰ（3rd  Generation  Partnership  Project）規格TS23.272に記載されているため、ここでは説明を省略する。
【００２８】
次に、図１に示した本実施例に係るマルチ無線端末１００の構成について説明する。図３は、本実施例に係るマルチ無線端末の構成を示す機能ブロック図である。図３に示すように、このマルチ無線端末１００は、１ｘデバイス１１０Ａと、ＥＶＤＯデバイス１１０Ｂと、ＬＴＥデバイス１１０Ｃとを有する。マルチ無線端末１００は、表示部１２１と、操作部１２２と、マイク１２３と、スピーカ１２４と、メモリ１２５と、ＣＰＵ（Central  Processing  Unit）１２６とを有する。更に、マルチ無線端末１００は、着脱可能なＵＩＣＣ１２７を内蔵する。ＵＩＣＣ１２７は、例えば、ＳＩＭ情報等を格納する。
【００２９】
１ｘデバイス１１０Ａは、１ｘネットワーク２との無線通信を司るインタフェースである。１ｘデバイス１１０Ａは、アンテナ１１１Ａと、１ｘ無線部１１２Ａと、１ｘベースバンド処理部１１３Ａとを有する。１ｘ無線部１１２Ａは、アンテナ１１１Ａを経由して１ｘ方式に準拠した音声や文字等の各種データの無線信号を受信し、受信した無線信号を周波数変換する。１ｘベースバンド処理部１１３Ａは、１ｘ無線部１１２Ａで周波数変換された無線信号をベースバンド信号に変換し、変換されたベースバンド信号を復調する。また、１ｘベースバンド処理部１１３Ａは、送信データをベースバンド信号に変調する。１ｘ無線部１１２Ａは、１ｘベースバンド処理部１１３Ａで変調されたベースバンド信号を周波数変換し、周波数変換された送信信号をアンテナ１１１Ａ経由で送信出力する。
【００３０】
ＥＶＤＯデバイス１００Ｂは、ＥＶＤＯネットワーク３との無線通信を司るインタフェースである。ＥＸＤＯデバイス１００Ｂは、アンテナ１１１Ｂと、ＥＶＤＯ無線部１１２Ｂと、ＥＶＤＯベースバンド処理部１１３Ｂとを有する。ＥＶＤＯ無線部１１２Ｂは、アンテナ１１１Ｂを経由してＥＶＤＯ方式に準拠した音声や文字等の各種データの無線信号を受信し、受信した無線信号を周波数変換する。ＥＶＤＯベースバンド処理部１１３Ｂは、ＥＶＤＯ無線部１１２Ｂで周波数変換された無線信号をベースバンド信号に変換し、変換されたベースバンド信号を復調する。また、ＥＶＤＯベースバンド処理部１１３Ｂは、送信データをベースバンド信号に変調する。ＥＶＤＯ無線部１１２Ｂは、ＥＶＤＯベースバンド処理部１１３Ｂで変調されたベースバンド信号を周波数変換し、周波数変換された送信信号をアンテナ１１１Ｂ経由で送信出力する。
【００３１】
ＬＴＥデバイス１００Ｃは、ＬＴＥネットワーク４との無線通信を司るインタフェースである。ＬＴＥデバイス１００Ｃは、アンテナ１１１Ｃと、ＬＴＥ無線部１１２Ｃと、ＬＴＥベースバンド処理部１１３Ｃとを有する。ＬＴＥ無線部１１２Ｃは、アンテナ１１１Ｃを経由してＬＴＥ方式に準拠した音声や文字等の各種データの無線信号を受信し、受信した無線信号を周波数変換する。ＬＴＥベースバンド処理部１１３Ｃは、ＬＴＥ無線部１１２Ｃで周波数変換された無線信号をベースバンド信号に変換し、変換されたベースバンド信号を復調する。また、ＬＴＥベースバンド処理部１１３Ｃは、送信データをベースバンド信号に変調する。ＬＴＥ無線部１１２Ｃは、ＬＴＥベースバンド処理部１１３Ｃで変調されたベースバンド信号を周波数変換し、周波数変換された送信信号をアンテナ１１１Ｃ経由で送信出力する。
【００３２】
表示部１２１は、各種情報を画面表示する出力インタフェースである。操作部１２２は、各種情報を入力する入力インタフェースである。マイク１２３は、各種音声を収音する入力インタフェースである。スピーカ１２４は、各種音声を音響出力する出力インタフェースである。メモリ１２５は、各種情報を記憶する領域である。ＣＰＵ１２６は、マルチ無線端末１００全体を制御する装置である。
【００３３】
次に、図３に示したＣＰＵ１２６に含まれる制御部の構成の一例について説明する。図４は、制御部の構成を示す機能ブロック図である。図４に示すように、制御部１２８は、１ｘ音声発信部１３０ａ、１ｘ音声着信部１３０ｂ、1xCSFallback検出部１３１、ＬＴＥ無線通信制御部１４０、調整部１５０を有する。ＬＴＥ無線通信制御部１４０は、ＳＩＢ情報更新部１４１、LTE  Paging受信部１４２、LTE  RACH送信部１４３、タイミング特定部１４４を有する。
【００３４】
ＣＰＵ１２６に接続されるメモリ１２５には、例えば、1xCSFallbackフラグ情報１２５ａと、ＳＩＢ情報１２５ｂとが格納される。1xCSFallbackフラグ情報１２５ａは、マルチ無線端末１００が、1xCSFallbackの音声発着呼を動作中であるか否かを示す情報である。例えば、1xCSFallbackフラグ情報１２５ａが「１」である場合には、1xCSFallbackの音声発着呼を動作中である。これに対して、1xCSFallbackフラグ情報１２５ａが「０」である場合には、1xCSFallbackの音声発着呼を動作中ではない。
【００３５】
ＳＩＭ情報１２５ｂは、LTE  RACH送信を行う場合のac-Barring  Factorの値およびac-Barring  Timeの値を含む情報である。ac-Barring  Factorは、後述するタイミング特定部１４４が、乱数と比較する値である。ac-Barring  Timeは、タイミング特定部１４４がリトライを行う待ち時間である。図５は、ＳＩＭ情報のデータ構造の一例を示す図である。図５に示す例では、ac-Barring  Factorとして、１ｃの各数値が指定されている。例えば、ｐ００，ｐ０５，ｐ９０はそれぞれ、０．０，０．５，０．９を表す。タイミング特定部１４４は、１ｃの各数値のうち、何れかの数値を用いて、乱数と比較する。また、ac-Barring  Timeとして、１ｄの各数値が指定されている。例えば、ｓ４，ｓ８，ｓ１６は、それぞれ、４秒、８秒、１６秒を表す。タイミング特定部１４４は、１ｄの各数値のうち、何れかの数値を用いて、リトライを行う。
【００３６】
１ｘ音声発信部１３０ａは、マルチ無線端末１００の利用者による音声の発信操作を検出する処理部である。例えば、利用者は、図３に示した操作部１２２を操作して、発信操作を行う。１ｘ音声発信部１３０ａは、利用者による発信操作を検出した場合に、１ｘ音声発信を検出した旨の情報を、1xCSFallback検出部１３１に出力する。
【００３７】
１ｘ音声着信部１３０ｂは、マルチ無線端末１００に対する音声着信を検出する処理部である。１ｘ音声着信部１３０ｂは、ＬＴＥ無線通信制御部１４０から、Pagingを受信した旨の情報を受け付けた場合に、１ｘ音声着信を検出した旨の情報を、1xCSFallback検出部１３１に出力する。
【００３８】
1xCSFallback検出部１３１は、１ｘ音声発信部１３０ａ、１ｘ音声着信部１３０ｂ、LTE  RACH送信部１４３から取得する情報を基にして、1xCSFallbackフラグ情報１２５ａを「１」または「０」に設定する処理部である。また、1xCSFallback検出部１３１は、１ｘ音声発信部１３０ａから１ｘ音声発信を検出した旨の情報を取得した場合や、１ｘ音声着信部１３０ｂから１ｘ音声着信を検出した旨の情報を取得した場合には、LTE  RACH送信要求を、LTE  RACH送信部１４３に出力する。
【００３９】
1xCSFallback検出部１３１は、１ｘ音声発信部１３０ａから、１ｘ音声発信を検出した旨の情報を取得した場合には、1xCSFallbackフラグ情報１２５ａを「１」に設定する。1xCSFallback検出部１３１は、１ｘ音声着信部１３０ｂから、１ｘ音声着信を検出した旨の情報を取得した場合には、1xCSFallbackフラグ情報１２５ａを「１」に設定する。1xCSFallback検出部１３１は、LTE  RACH送信部１４３から、LTE  RACH送信を行った旨の情報を取得した場合には、1xCSFallbackフラグ情報１２５ａを「０」に設定する。
【００４０】
ＳＩＢ情報更新部１４１は、ＬＴＥ基地局６ＢからＳＩＢ情報を受信した場合に、受信したＳＩＢ情報によって、メモリ１２５に格納されたＳＩＢ情報１２５ｂを更新する処理部である。
【００４１】
LTE  Paging受信部１４２は、ＬＴＥ基地局６ＢからPagingを受信する処理部である。LTE  Paging受信部１４２は、Pagingを受信した場合に、Pagingを受信した旨の情報を、１ｘ音声着信部１３０ｂに出力する。マルチ無線端末１００がＬＴＥ基地局６Ｂと無線接続し、１ｘ／ＥＶＤＯ基地局６Ａと無線接続を切断している状態で、マルチ無線端末１００に対する音声着信が発生した場合に、ＭＳＣ２３は、Pagingをマルチ無線端末１００に送信する。図１で説明したように、ＭＳＣ２３は、１ｘＣＳＩＷＳ５、ＭＭＥ４２、ＬＴＥ基地局６Ｂを介して、Pagingを、マルチ無線端末１００に送信する。
【００４２】
LTE  RACH送信部１４３は、1xCSFallback検出部１３１から、LTE  RACH送信要求を受け付けた後に、LTE  RACHをＬＴＥ基地局６Ｂに送信する処理部である。LTE  RACH送信部１４３は、LTE  RACH送信要求を受け付けた場合に、タイミング特定部１４４を利用して、LTE  RACHを送信するタイミングを特定する。
【００４３】
LTE  RACH送信部１４３が、LET  RACHを送信することで、マルチ無線端末１００は、１ｘ／ＥＶＤＯ基地局の情報と、セキュリティ情報を得る。マルチ無線端末１００は、１ｘ／ＥＶＤＯ基地局の情報と、セキュリティ情報を基にして、１ｘ／ＥＶＤＯ基地局６Ａと無線接続し、音声通信を開始する。
【００４４】
タイミング特定部１４４は、LTE  RACH送信部１４３がLTE  RACH送信を行うタイミングを特定する処理部である。タイミング特定部１４４は、乱数を発生させ、発生させた乱数の値が、ac-Barring  Factorよりも小さくなったタイミングを、LTE  RACHを送信するタイミングとして、LTE  RACH送信部１４３に通知する。タイミング特定部１４４は、発生させた乱数の値が、ac-Barring  Factor以上である場合には、ac-Barring  Timeに指定された時間待機した後に、上記処理を繰り返し実行する。本実施例では一例として、タイミング特定部１４４が発生させる乱数の値は、「０以上１未満の値」とする。
【００４５】
調整部１５０は、1xCSFallbackフラグ情報１２５ａを基にして、タイミング特定部１４４の利用するac-Barring  Factorおよびac-Barring  Timeの値を調整する処理部である。調整部１５０は、1xCSFallbackフラグ情報１２５ａが「１」の場合には、タイミング特定部１４４が特定するタイミングを早めるように、ac-Barring  Factorおよびac-Barring  Timeの値を調整する。
【００４６】
例えば、調整部１５０は、1xCSFallbackフラグ情報１２５ａが「１」の場合には、ac-Barring  Factorの値を「１．１」に設定する。タイミング特定部１４４が生成する乱数の値は「０以上１未満の値」であるため、ac-Barring  Factorの値を「１．１」に設定することで、乱数の値が１回目でac-Barring  Factorよりも小さくなり、タイミング特定部１４４が特定するタイミングが早まる。
【００４７】
または、調整部１５０は、1xCSFallbackフラグ情報１２５ａが「１」の場合には、ac-Barring  Timeの値をＳＩＢ情報１２５ｂに設定された時間よりも短い時間に設定する。このように、調整部１５０がac-Barring  Timeの値を調整することで、乱数を発生させる回数が多くなり、乱数の値がac-Barring  Factorよりも小さくなる確率が高まり、結果として、タイミング特定部１４４が特定するタイミングが早まる。
【００４８】
これに対して、調整部１５０は、1xCSFallbackフラグ情報１２５ａが「１」の場合には、ＳＩＢ情報１２５ｂに登録されたac-Barring  Factorの値およびac-Barring  Timeの値をタイミング特定部１４４に設定する。
【００４９】
次に、本実施例にかかるマルチ無線端末１００の動作について説明する。図６は、マルチ無線端末のLTE  RACH送信に関わる処理手順の一例を示すフローチャートである。図６に示す処理は、例えば、１ｘ音声着信または１ｘ音声発信を受けつけたことを契機にして実行される。図６に示すように、マルチ無線端末１００は、１ｘ音声発信または１ｘ音声着信を受け付けたか否かを判定する（ステップＳ１０１）。
【００５０】
マルチ無線端末１００は、１ｘ音声発信または１ｘ音声着信を受け付けていない場合には（ステップＳ１０１，Ｎｏ）、1xCSFallbackフラグ情報１２５ａを「０」に設定し（ステップＳ１０２）、ステップＳ１０４に移行する。
【００５１】
一方、マルチ無線端末１００は、１ｘ音声発信または１ｘ音声着信を受け付けた場合には（ステップＳ１０１，Ｙｅｓ）、1xCSFallbackフラグ情報１２５ａを「１」に設定し（ステップＳ１０３）、ステップＳ１０４に移行する。
【００５２】
マルチ無線端末１００は、1xCSFallbackフラグ情報１２５ａが「１」であるか否かを判定する（ステップＳ１０４）。マルチ無線端末１００は、1xCSFallbackフラグ情報１２５ａが「０」である場合には（ステップＳ１０４，Ｎｏ）、第２LTE  RACH送信処理を実行する（ステップＳ１０５）。ステップＳ１０５に示した第２LTE  RACH送信処理は、従来と同様のLTE  RACH送信処理であり、例えば、図１０に示した処理手順となる。マルチ無線端末１００は、ＬＴＥ通信を実行し（ステップＳ１０６）、処理を終了する。
【００５３】
一方、マルチ無線端末１００は、1xCSFallbackフラグ情報１２５ａが「１」である場合には（ステップＳ１０４，Ｙｅｓ）、第１LTE  RACH送信処理を実行する（ステップＳ１０７）。ステップＳ１０７に示した第１LTE  RACH送信処理は、LTE  RACHを送信する処理を早めて、LTE  RACHを送信する処理である。
【００５４】
マルチ無線端末１００は、1xCSFallbackフラグ情報１２５ａを「０」に設定し（ステップＳ１０８）、ＬＴＥ通信を実行して、１ｘ基地局情報およびセキュリティ情報を取得し、ＬＴＥ通信を終了する（ステップＳ１０９）。マルチ無線端末１００は、１ｘ／ＥＶＤＯ基地局６Ａと同期後、１ｘ方式で無線通信を実行する（ステップＳ１１０）。
【００５５】
続いて、ステップＳ１０７に示した第１LTE  RACH送信処理の処理手順について具体的に説明する。ここでは一例として、ac-Barring  Factorの値を調整してLTE  RACHを送信する処理を早める場合と、ac-Barring  Timeの値を調整してLTE  RACHを送信する処理を早める場合とに分けて処理手順を説明する。なお、ac-Barring  Factorおよびac-Barring  Timeには、ＳＩＢ情報１２５ｂに基づいた値が設定されているものとする。
【００５６】
図７は、第１LTE  RACH送信処理の処理手順を示すフローチャート（１）である。図７は、ac-Barring  Factorの値を調整してLTE  RACHを送信する処理を早める処理手順である。図７に示すように、マルチ無線端末１００は、ac-Barring  Factorに「１．１」を設定し（ステップＳ２０１）、乱数を発生させる（ステップＳ２０２）。マルチ無線端末１００が発生させる乱数の値は、「０以上１未満の値」とする。
【００５７】
マルチ無線端末１００は、乱数がac-Barring  Factorよりも小さいか否かを判定する（ステップＳ２０３）。マルチ無線端末１００は、乱数がac-Barring  Factorよりも小さい場合には（ステップＳ２０３，Ｙｅｓ）、LTE  RACH送信を実行する（ステップＳ２０４）。
【００５８】
これに対して、マルチ無線端末１００は、乱数がac-Barring  Factorよりも小さくない場合には（ステップＳ２０３，Ｎｏ）、ac-Barring  Timeが経過するまで待機し（ステップＳ２０５）、ステップＳ２０２に再度移行する。なお、ステップＳ２０３において、乱数がac-Barring  Factor以上となることはないので、ステップＳ２０５の処理が実際に行われることはない。
【００５９】
図８は、第１LTE  RACH送信処理の処理手順を示すフローチャート（２）である。図８は、ac-Barring  Timeの値を調整してLTE  RACHを送信する処理を早める処理手順である。図８に示すように、マルチ無線端末１００は、ac-Barring  Timeに２０ｍｓを設定し（ステップＳ３０１）、乱数を発生させる（ステップＳ３０２）。ステップＳ３０１において、ac-Barring  Timeに設定される時間は、ＳＩＢ情報１２５ｂに基づいた時間よりも短い時間とする。
【００６０】
マルチ無線端末１００は、乱数がac-Barring  Factorよりも小さいか否かを判定する（ステップＳ３０３）。マルチ無線端末１００は、乱数がac-Barring  Factorよりも小さい場合には（ステップＳ３０３，Ｙｅｓ）、LTE  RACH送信を実行する（ステップＳ３０４）。
【００６１】
これに対して、マルチ無線端末１００は、乱数がac-Barring  Factorよりも小さくない場合には（ステップＳ３０３，Ｎｏ）、ac-Barring  Timeが経過するまで待機し（ステップＳ３０５）、ステップＳ３０２に再度移行する。
【００６２】
次に、本実施例に係るマルチ無線端末１００の効果について説明する。マルチ無線端末１００は、ＬＴＥ無線接続中に音声の発信または着信を検出した場合に、LTE  RACH送信のタイミングを早めて、発着信に利用する１ｘ／ＥＶＤＯ基地局と無線接続するまでの時間を削減することで、音声の発信着信が遅れることを防止できる。また、これにより、音声発信、着信の遅延の利用者に意識させることなく音声サービスが行える1xCSFallback端末の提供が可能となる。
【００６３】
また、マルチ無線端末１００は、ＬＴＥ規格で定められた手順に従って時間間隔で乱数を発生させ、ＬＴＥ規格で定められた所定値よりも前記乱数が小さくなるタイミングを特定する。また、マルチ無線端末１００は、ＬＴＥ無線接続中に音声の発信または着信を検出した場合に、タイミングを特定する処理において、時間間隔を短くする、または、所定値を大きくすることで、ＬＴＥ規格で定められた手順に従いつつ、LTE  RACH送信のタイミングを早めることができる。
【００６４】
また、マルチ無線端末１００は、ＬＴＥ方式で通信を行っている間に、音声着信を通知する信号または音声発信の要求を検出した場合に、音声発信または音声着信のデータ通信で利用する１ｘ基地局の情報を要求する信号を送信するタイミングを特定する。このため、１ｘ方式による無線接続を切断している場合でも、スムーズに１ｘ方式による無線通信に移行することができる。
【００６５】
ところで、本実施例で説明した各種の処理は、予め用意されたプログラムを無線端末装置で実行することで実現できる。そこで、以下では、上記実施例と同様の機能を有するプログラムを実行する無線端末装置の一例を説明する。図９は、制御プログラムを実行する無線端末装置を示す説明図である。
【００６６】
図９において制御プログラムを実行する無線端末装置２００では、ＲＯＭ２１０、ＲＡＭ２２０、プロセッサ２３０、操作部２４０、表示部２５０及び通信部２６０を有する。そして、ＲＯＭ２１０には、上記実施例と同様の機能を発揮する制御プログラムが予め記憶されている。尚、ＲＯＭ２１０ではなく、図示しないドライブで読取可能な記録媒体に制御プログラムが記録されていても良い。また、記録媒体としては、例えば、ＣＤ−ＲＯＭ、ＤＶＤディスク、ＵＳＢメモリ、ＳＤカード等の可搬型記録媒体、フラッシュメモリ等の半導体メモリ等でも良い。制御プログラムとしては、図９に示すように、タイミング特定プログラム２１０Ａ、送信プログラム２１０Ｂ、調整プログラム２１０Ｃである。尚、プログラム２１０Ａ〜２１０Ｃについては、適宜統合又は分散しても良い。
【００６７】
そして、プロセッサ２３０は、これらのプログラム２１０Ａ〜２１０ＣをＲＯＭ２１０から読み出し、これら読み出された各プログラムを実行する。そして、プロセッサ２３０は、各プログラム２１０Ａ〜２１０Ｃを、それぞれタイミング特定プロセス２３０Ａ、送信プロセス２３０Ｂ、調整プロセス２３０Ｃとして機能させる。例えば、タイミング特定プロセス２３０Ａは、図４のタイミング特定部１４４に対応する。送信プロセス２３０Ｂは、LTE  RACH送信部１４３に対応する。調整プロセス２３０Ｃは、調整部１５０に対応する。通信部２６０は、ＬＴＥ方式を含む複数の通信方式でマルチ無線通信機能を有する。
【００６８】
以上の各実施例を含む実施形態に関し、さらに以下の付記を開示する。
【００６９】
（付記１）音声以外のデータ通信で利用する第１基地局を介して通信を行っている間に、音声発信または音声着信を行う場合に、音声のデータ通信で利用する第２基地局の情報を要求する信号を送信するタイミングを特定するタイミング特定部と、
前記タイミング特定部によって特定されたタイミングによって、前記第２基地局の情報を要求する信号を送信する送信部と、
音声発信または音声着信を行う要求を受け付けた場合に、前記タイミング特定部が特定するタイミングを早める調整部と
を有することを特徴とする無線通信装置。
【００７０】
（付記２）前記タイミング特定部は、ＬＴＥ（Long  Term  Evolution）規格で定められた手順に従って所定の時間間隔で乱数を発生させ、所定値よりも前記乱数が小さくなるタイミングを特定し、前記調整部は、前記時間間隔を短くする、または、前記所定値を大きくすることを特徴とする付記１に記載の無線通信装置。
【００７１】
（付記３）前記タイミング特定部は、ＬＴＥ方式で通信を行っている間に、自装置に対する音声着信を通知する信号または音声発信の要求を検出した場合に、音声発信または音声着信のデータ通信で利用する１ｘ基地局の情報を要求する信号を送信するタイミングを特定することを特徴とする付記１または２に記載の無線通信装置。
【００７２】
（付記４）コンピュータに、
音声以外のデータ通信で利用する第１基地局を介して通信を行っている間に、音声発信または音声着信を行う場合に、音声のデータ通信で利用する第２基地局の情報を要求する信号を送信するタイミングを特定し、
特定したタイミングによって、前記第２基地局の情報を要求する信号を送信する処理を実行させ、
音声発信または音声着信を行う要求を受け付けた場合に、音声のデータ通信で利用する第２基地局の情報を要求する信号を送信するタイミングを早める処理を更に前記コンピュータに実行させることを特徴とする制御プログラム。
【００７３】
（付記５）前記タイミングを特定する処理は、ＬＴＥ（Long  Term  Evolution）規格で定められた手順に従って所定の時間間隔で乱数を発生させ、所定値よりも前記乱数が大きくなるタイミングを特定し、前記タイミングを早める処理は、前記時間間隔を短くする、または、前記所定値を小さくすることを特徴とする付記４に記載の制御プログラム。
【００７４】
（付記６）前記タイミングを特定する処理は、ＬＴＥ方式で通信を行っている間に、前記コンピュータに対する音声着信を通知する信号または音声発信の要求を検出した場合に、音声発信または音声着信のデータ通信で利用する１ｘ基地局の情報を要求する信号を送信するタイミングを特定することを特徴とする付記４または５に記載の制御プログラム。
【００７５】
（付記７）コンピュータが実行する制御方法であって、
音声以外のデータ通信で利用する第１基地局を介して通信を行っている間に、音声発信または音声着信を行う場合に、音声のデータ通信で利用する第２基地局の情報を要求する信号を送信するタイミングを特定し、
特定したタイミングによって、前記第２基地局の情報を要求する信号を送信する処理を実行し、
前記コンピュータは、音声発信または音声着信を行う要求を受け付けた場合に、音声のデータ通信で利用する第２基地局の情報を要求する信号を送信するタイミングを早める処理を更に実行することを特徴とする制御方法。
【００７６】
（付記８）前記タイミングを特定する処理は、ＬＴＥ（Long  Term  Evolution）規格で定められた手順に従って所定の時間間隔で乱数を発生させ、所定値よりも前記乱数が大きくなるタイミングを特定し、前記タイミングを早める処理は、前記時間間隔を短くする、または、前記所定値を小さくすることを特徴とする付記７に記載の制御方法。
【００７７】
（付記９）前記タイミングを特定する処理は、ＬＴＥ方式で通信を行っている間に、前記コンピュータに対する音声着信を通知する信号または音声発信の要求を検出した場合に、音声発信または音声着信のデータ通信で利用する１ｘ基地局の情報を要求する信号を送信するタイミングを特定することを特徴とする付記７または８に記載の制御方法。
【符号の説明】
【００７８】
１００    マルチ無線端末
１２５    メモリ
１２６    ＣＰＵ
１２８    制御部
１３０ａ  １ｘ音声発信部
１３０ｂ  １ｘ音声着信部
１３１    1xCSFallback検出部
１４０    ＬＴＥ無線通信制御部
１４１    ＳＩＢ情報更新部
１４２    LTE  Paging受信部
１４３    LTE  RACH送信部
１４４    タイミング特定部
１５０    調整部
【図１】
2014146853.tif 000003
【図２】
2014146853.tif 000004
【図３】
2014146853.tif 000005
【図４】
2014146853.tif 000006
【図５】
2014146853.tif 000007
【図６】
2014146853.tif 000008
【図７】
2014146853.tif 000009
【図８】
2014146853.tif 000010
【図９】
2014146853.tif 000011
【図１０】
2014146853.tif 000012